(57)【要約】【課題】２つの同一の相手コネクタが使用可能で、構造が簡素で、しかも、信号の伝送特性の劣化を防止できる基板搭載用コネクタを提供する。【解決手段】ミッドプレーン（基板）に搭載されるレセプタクルコネクタ（一半部）７ａにおいては、多数の各２組のコンタクトペア１，２は、ハウジング６に縦横方向に等間隔に、かつ、同数配置されている。各２組のコンタクトペアは、複数の第１のグラウンドプレート（図示されず）と、各第１のグラウンドプレートに格子状に交差する複数の第２のグラウンドプレート（図示されず）によって包囲される。各２組のコンタクトペアは、それぞれ第３のグラウンドプレート５によって仕切られる。各第３のグラウンドプレートは、中間部において９０°ねじられている。各２組のコンタクトペアは、中間部においてクランク状に折曲され、各第３のグラウンドプレートに略平行に配設される。【選択図】      図２
2004241178.tif 000002
【特許請求の範囲】
【請求項１】
一対のコネクタの一方は基板の表面に搭載され、他方は前記基板の裏面に搭載され、前記一方は第１の相手コネクタに対して嵌合離脱することができ、前記他方は第２の相手コネクタに対して嵌合離脱することができ、
前記一方は第１のハウジングを有し、前記他方は第２のハウジングを有し、
複数の各２組のコンタクトペアは、前記基板を貫通して前記第１のハウジングと前記第２のハウジングに保持され、
複数枚の第１のグラウンドプレートと前記各第１のグラウンドプレートに格子状に交差する複数枚の第２のグラウンドプレートは、前記基板を貫通して前記第１のハウジングと前記第２のハウジングに保持され、
前記各２組のコンタクトペアは、前記各第１のグラウンドプレートと前記各第２のグラウンドプレートによって包囲され、
前記各２組のコンタクトペアはそれぞれ第３のグラウンドプレートによって仕切られ、前記各第３のグラウンドプレートは中間において９０°ねじられていることを特徴とする基板搭載用コネクタ。
【請求項２】
前記各２組のコンタクトペアは、正方形状に配設されることを特徴とする請求項１記載の基板搭載用コネクタ。
【請求項３】
前記各２組のコンタクトペアは、中間部においてクランク状に折曲されていることを特徴とする請求項１記載の基板搭載用コネクタ。
【発明の詳細な説明】
【０００１】
【発明の属する技術分野】
本発明は、２組のコンタクトペアの間にクロストークが発生することを防止できる基板搭載用コネクタに関し、一用途として高速差動信号伝送用レセプタクルコネクタに関する。
【０００２】
【従来の技術】
従来の高速差動信号伝送用コネクタの一例の要点を図５を参照して説明する。ミッドプレーンの両面に、レセプタクルコネクタが取り付けられている。ミッドプレーンの一方側にプラグコネクタ用ドーターボード１０が垂直方向に配置され、プラグコネクタ用ドーターボード１０の一面に、プラグコネクタ９が取り付けられている。ミッドプレーンの他方側には、プラグコネクタ用ドーターボード１２が水平方向に配置され、プラグコネクタ用ドーターボード１２の一面に、プラグコネクタ１１が取り付けられている。
【０００３】
コンタクトペア１は、コンタクト１ａとコンタクト１ｂとから構成され、コンタクトペア２は、コンタクト２ａとコンタクト２ｂとから構成される。図５（Ａ）に示されるように、ミッドプレーンの一方側では、コンタクトペア１，２は横列に配置され、また、図５（Ｂ）に示されるように、ミッドプレーンの他方側では、コンタクトペア１，２は縦列に配置される。
【０００４】
各コンタクトペア１，２の上下左右の４面は、第１のグラウンドプレート３と第２のグラウンドプレート４によって正方形枠状に包囲される。正方形枠内において、コンパクトペア１とコンパクトペア２との間に第３のグラウンドプレート５が配設される。
【０００５】
この種の高速差動信号伝送用コネクタは、若干の文献に記載されている（例えば、特許文献１参照。）。
【０００６】
【特許文献１】
特開２００２−１１７９３８号公報（第３頁、図１）
【０００７】
【発明が解決しようとする課題】
前記従来の高速差動信号伝送用コネクタでは、インピーダンスコントロールが困難で、コネクタの性能が劣化する。コネクタの性能を改善するためには、ミッドプレーンを介した両側のプラグコネクタの構造を変更するか、又は、各コンタクト１本ずつを同軸構造に構成してコンタクトペアの結合のない構造に変更せざるを得ない。しかし、これらの変更では、部品点数が増加し、また、コンタクトペアの関係が維持され難いので、信号の伝送特性が劣化し易い。
【０００８】
そこで、本発明は、前記従来の高速差動信号伝送用コネクタの欠点を改良し、２つの同一の相手コネクタが使用可能で、構造が簡素で、しかも、信号の伝送特性の劣化を防止できる基板搭載用コネクタを提供しようとするものである。
【０００９】
【課題を解決するための手段】
本発明は、前記課題を解決するため、次の手段を採用する。
【００１０】
１．一対のコネクタの一方は基板の表面に搭載され、他方は前記基板の裏面に搭載され、前記一方は第１の相手コネクタに対して嵌合離脱することができ、前記他方は第２の相手コネクタに対して嵌合離脱することができ、前記一方は第１のハウジングを有し、前記他方は第２のハウジングを有し、複数の各２組のコンタクトペアは、前記基板を貫通して前記第１のハウジングと前記第２のハウジングに保持され、複数枚の第１のグラウンドプレートと前記各第１のグラウンドプレートに格子状に交差する複数枚の第２のグラウンドプレートは、前記基板を貫通して前記第１のハウジングと前記第２のハウジングに保持され、前記各２組のコンタクトペアは、前記各第１のグラウンドプレートと前記各第２のグラウンドプレートによって包囲され、前記各２組のコンタクトペアはそれぞれ第３のグラウンドプレートによって仕切られ、前記各第３のグラウンドプレートは中間において９０°ねじられている基板搭載用コネクタ。
【００１１】
２．前記各２組のコンタクトペアは、正方形状に配設される前記１記載の基板搭載用コネクタ。
【００１２】
３．前記各２組のコンタクトペアは、中間部においてクランク状に折曲されている前記１記載の基板搭載用コネクタ。
【００１３】
【発明の実施の形態】
本発明の一実施の形態例の高速差動信号伝送用レセプタクルコネクタについて図１〜図４を参照して説明する。図１は同コネクタの使用例の斜視図、図２は同コネクタの構造の斜視図、図３（Ａ）と（Ｂ）は同コネクタの諸コンタクトの模式的配列図、図４は同コネクタにおける第３のグラウンドプレートの拡大斜視図を、それぞれ示す。
【００１４】
図１に示されるように、中央には、ミッドプレーン８が垂直方向に配置され、ミッドプレーン８の左右両面に、レセプタクルコネクタ７ａ，７ｂが取り付けられている。ミッドプレーン８の左側には、ドーターボード１０が垂直方向に配置され、ドーターボード１０の一面に、ブラグコネクタ９が取り付けられている。ミッドプレーン８の右側には、ドーターボード１２が水平方向に配置され、ドーターボード１２の一面に、プラグコネクタ１１が取り付けられている。本発明のコネクタは、上述のような２枚のドーターボード１０，１２を接続する場合に使用される。
【００１５】
図２に示されるように、レセプタクルコネクタ７ａ，７ｂにおいては、多数のコンタクトペア１，２は、縦横方向に等間隔に、かつ、同数配置されている。各コンタクトペア１，２の間に、第３のグラウンドプレート５が配設されている。各コンタクトペア１，２は、正方形の中心に関して対称となるように配置されるコンタクト１ａ，１ｂとコンタクト２ａ，２ｂとから構成される。各コンタクト１ａ，１ｂ，２ａ，２ｂは、いずれも第１の接続部１ａ１，１ｂ１，２ａ１，２ｂ１（図２では、見えない。）と、第２の接続部１ａ２，１ｂ２，２ａ２（図２では、見えない。），２ｂ２と、第１の接続部１ａ１，１ｂ１，２ａ１，２ｂ１と第２の接続部１ａ２，１ｂ２，２ａ２，２ｂ２を連結する連結部１ａ３，１ｂ３，２ａ３，２ｂ３とから中間部においてクランク状に折曲されて一体に構成される。各コンタクト１ａ，１ｂ，２ａ，２ｂの連結部１ａ３，１ｂ３，２ａ３，２ｂ３とその付近は、各レセプタクルコネクタ７ａ，７ｂのハウジング６，６に設けられた各貫通孔６ａ，６ａ内にそれぞれ保持され、また、ミッドプレーン８に設けられた各貫通孔（図１では、見えない。）を貫通する。
【００１６】
各コンタクトペア１，２は、ハウジング６，６の表面では図３（Ａ）に示されるように横列に配置され、ハウジング６，６の裏面では図３（Ｂ）に示されるように横列に配置される。各コンタクト１ａ，１ｂ，２ａ，２ｂの第１の接続部１ａ１，１ｂ１，２ａ１，２ｂ１は、プラグコネクタ１１の各コンタクトと接続し、第２の接続部１ａ２，１ｂ２，２ａ２，２ｂ２は、プラグコネクタ９の各コンタクトと接続する。
【００１７】
各コンタクトペア１，２の上下左右の４面は、第１のグラウンドプレート３と第２のグラウンドプレート４によって正方形枠状に包囲される。正方形枠内において、コンタクトペア１とコンタクトペア２との間に第３のグラウンドプレート５が配設される。
【００１８】
各第３のグラウンドプレート５は、図４に示されるように、中間部５ａにおいて９０°ねじられている。各コンタクトペア１，２は、各第３のグラウンドプレート５に略平行に配設される。
【００１９】
このように各コンタクトペア１，２が配置されると、図１に示されるように、ミッドプレーン８を介して一方側にドーターボード１０を垂直に、他方側にドーターボード１２を水平に、それぞれ接続する場合に、プラグコネクタ９とプラグコネクタ１１とを同一に構成することができる。
【００２０】
また、各コンタクトペア１と各コンタクトペア２とは、各第１のグラウンドプレート３と各第２のグラウンドプレート４とによって上下左右の４面を包囲され、しかも、各第３のグラウンドプレート５によって仕切られるので、各コンタクトペア１，２間のクロストークの発生が防止される。
【００２１】
更に、プラグコネクタ９，１１の部品点数が増加しないから、コストが高価にならない。また、各コンタクトペア１，２の関係が維持されたまま、信号が伝送されるので、信号の伝送特性の劣化が防止され、更に、インピーダンスのコントロールが容易に行われる。
【００２２】
【発明の効果】
以上の説明から明らかなように、本発明によれば、次の効果が奏される。
【００２３】
１．各コンタクトペア間のクロストークの発生が防止される。
【００２４】
２．コネクタの各コンタクトの入力側の位置と出力側の位置を変えることによって、２つの同一の相手側コネクタを使用して、直交する２枚のドーターボードを接続することができる。
【００２５】
３．相手側コネクタのコンタクトのペア関係が維持されて、信号が伝送されるので、信号の伝送特性の劣化を防止でき、また、インピーダンスのコントロールを容易に行うことができる。
【００２６】
４．相手側コネクタの部品点数が増加しないので、コストが高価にならない。
【００２７】
５．コネクタにおける各コンタクトを高密度で配置することができ、また、コネクタを小型に構成し易い。
【図面の簡単な説明】
【図１】本発明の一実施の形態例の高速差動信号伝送用レセプタクルコネクタの使用例の斜視図である。
【図２】同コネクタの要部の模式的拡大斜視図である。
【図３】同コネクタにおけるコンタクトの模式的配列図であり、（Ａ）は一方のプラグコネクタ用ドーターボード側のもの、（Ｂ）は他方のプラグコネクタ用ドーターボード側のものを、それぞれ示す。
【図４】同コネクタにおける第３のグラウンドプレートの拡大斜視図である。
【図５】従来の高速差動信号伝送用レセプタクルコネクタにおけるコンタクトの模式的配列図であり、（Ａ）は一方のプラグコネクタ用ドーターボード側のもの、（Ｂ）は他方のプラグコネクタ用ドーターボード側のものを、それぞれ示す。
【符号の説明】
１    コンタクトペア
１ａ，１ｂ    コンタクト
１ａ１，１ｂ１    第１の接続部
１ａ２，１ｂ２    第２の接続部
１ａ３，１ｂ３    連結部
２    コンタクトペア
２ａ，２ｂ    コンタクト
２ａ１，２ｂ１    第１の接続部
２ａ２，２ｂ２    第２の接続部
２ａ３，２ｂ３    連結部
３    第１のグラウンドプレート
４    第２のグラウンドプレート
５    第３のグラウンドプレート
５ａ    中間部
６    ハウジング
６ａ    貫通孔
７ａ，７ｂ    レセプタクルコネクタ
８    ミッドプレーン（基板）
９    プラグコネクタ
１０    ドーターボード
１１    プラグコネクタ
１２    ドーターボード
【図１】
2004241178.tif 000003
【図２】
2004241178.tif 000004
【図３】
2004241178.tif 000005
【図４】
2004241178.tif 000006
【図５】
2004241178.tif 000007